(57)【要約】【課題】棚板を前後のダボに架設するにあたり、前側のダボに対して後側のダボを上下複数のダボから選択して棚板の水平方向に対する角度を調節可能とすると共に、棚板が脱落し難く且つ装着し易い収納家具を提供する。【解決手段】前面が開口する収納部１の左右両側の内側面の前部に前側のダボ２ａを設け、前記内側面の後部に後側のダボ２ｂを設けた。棚板３の下面の前部の左右両側の端縁に下方に開口する前側のダボ溝４ａを形成し、前記棚板３の下面の後部の左右両側の端縁に下方に開口する後側のダボ溝４ｂを形成し、前側のダボ２ａを棚板３の前側のダボ溝４ａに収容すると共に後側のダボ２ｂを後側のダボ溝４ｂに収容して棚板３を収納部１の左右両側の内側面間に架設してなる収納家具５であって、前側のダボ溝４ａの溝幅Ｗ１をダボ２径と略同じにすると共に、後側のダボ溝４ｂの溝幅Ｗ２をダボ２径よりも長くした。【選択図】図１
2009247623.tif 000002
【特許請求の範囲】
【請求項１】
前面が開口する収納部の左右両側の内側面の前部に前側のダボを設け、前記内側面の後部に後側のダボを設け、棚板の下面の前部の左右両側の端縁よりそれぞれ反対の端縁に向けて下方に開口する前側のダボ溝を形成し、前記棚板の下面の後部の左右両側の端縁よりそれぞれ反対の端縁に向けて下方に開口する後側のダボ溝を形成し、前側のダボを棚板の前側のダボ溝に収容すると共に後側のダボを後側のダボ溝に収容して棚板を収納部の左右両側の内側面間に架設してなる収納家具であって、前側のダボ溝の溝幅をダボ径と略同じにすると共に、後側のダボ溝の溝幅をダボ径よりも長くして成ることを特徴とする収納家具。
【請求項２】
棚板の下面の後側のダボ溝の幅方向の両端縁に、棚板の下方に向けて抜け止め凸部を突設して成ることを特徴とする請求項１記載の収納家具。
【請求項３】
棚板の上面の前部に、履物の踵部が嵌入される凹部を形成して成ることを特徴とする請求項１又は２記載の収納家具。
【発明の詳細な説明】
【技術分野】
【０００１】
本発明は、収納家具に関するものである。
【背景技術】
【０００２】
従来より知られている下足箱等の収納家具としては、例えば特許文献１に示されるものがある。この種の収納家具は、収納部の左右両側の内側面の前部及び後部にダボを設け、棚板の下面の左右両側の端縁の前後にそれぞれ、下方に開口しダボ径と略同じ溝幅を有するダボ溝を形成し、ダボを棚板のダボ溝に収容することで、棚板を収納部の両側の内側面間にダボを介して架設している。そして、収納部内に架設した前記棚板により、収納部内の空間を複数の収納空間に仕切っている。
【０００３】
ところで、ダボは、棚板を所望の高さで架設することができるように、上下方向に複数個を設けている。そして、通常は、水平となっている前側のダボと後側のダボを棚板のダボ溝に収容して、棚板を水平に架設していたが、収納家具の前後方向（奥行の方向）の長さを短くすべく、棚板を傾斜させることが考えられた。
【０００４】
この場合、棚板を、水平でない前側のダボと後側のダボとに架設して、前後方向に傾斜させることで、前後方向の長さが短くて済むものである。
【０００５】
しかしながら、この場合、前側のダボ溝と後側のダボ溝との間隔を、水平となっている前側のダボと後側のダボとの間隔と同じにしてあると、前側のダボと、該前側のダボと水平な後側のダボの上側又は下側のダボとに棚板を架設しようとしても、前側のダボと後側のダボとの間隔が、棚板の前側のダボ溝と後側のダボ溝との間隔よりも長くなってしまう。このため棚板を、水平に架設したり傾斜するように架設したりする選択ができず、棚板の水平方向に対する角度を調節可能とすることができないものであった。
【特許文献１】特開平７−２３６５２６号公報
【発明の開示】
【発明が解決しようとする課題】
【０００６】
そこで、棚板のダボ溝、すなわち前側のダボ溝と後側のダボ溝の溝幅を広く形成して、前側のダボと後側のダボとの間隔の違いを吸収することが考えられた。
【０００７】
しかしながら、この場合、ダボ溝内でのダボの前後方向の動きが規制されず、ダボをダボ溝に収容して棚板を架設した状態で、棚板の前後方向の位置が決まらず、棚板に手や履物が当たって棚板が後方にずれてしまったり、またあるいは、ダボがダボ溝から抜け易くて棚板が浮き上がって脱落してしまったりする惧れがあった。
【０００８】
本発明は上記従来の問題点に鑑みて発明したものであって、その目的とするところは、棚板を前後のダボに架設するにあたり、前側のダボに対して後側のダボを上下複数のダボから選択して棚板の水平方向に対する角度を調節可能とすると共に、棚板が脱落し難く且つ装着し易い収納家具を提供することを課題とするものである。
【課題を解決するための手段】
【０００９】
上記課題を解決するために請求項１に係る発明は、前面が開口する収納部１の左右両側の内側面の前部に前側のダボ２ａを設け、前記内側面の後部に後側のダボ２ｂを設け、棚板３の下面の前部の左右両側の端縁よりそれぞれ反対の端縁に向けて下方に開口する前側のダボ溝４ａを形成し、前記棚板３の下面の後部の左右両側の端縁よりそれぞれ反対の端縁に向けて下方に開口する後側のダボ溝４ｂを形成し、前側のダボ２ａを棚板３の前側のダボ溝４ａに収容すると共に後側のダボ２ｂを後側のダボ溝４ｂに収容して棚板３を収納部１の左右両側の内側面間に架設してなる収納家具５であって、前側のダボ溝４ａの溝幅Ｗ１をダボ２径と略同じにすると共に、後側のダボ溝４ｂの溝幅Ｗ２をダボ２径よりも長くして成ることを特徴とするものである。
【００１０】
また、請求項２に係る発明は、請求項１に係る発明において、棚板３の下面の後側のダボ溝４ｂの幅方向の両端縁に、棚板３の下方に向けて抜け止め凸部３１を突設したことで、後側のダボ溝４ｂの深さが実質的に深くなり、後側のダボ２ｂが後側のダボ溝４ｂから抜け難くなり、棚板３が脱落し難くなる。
【００１１】
また、請求項３に係る発明は、請求項１又は２に係る発明において、棚板３の上面の前部に、履物の踵部が嵌入される凹部３２を形成したことで、棚板３の上面に載置した履物の踵部が凹部３２に収容されて動きが規制され、履物が棚板３の上面を移動して棚板３から落下するのが防止される。
【発明の効果】
【００１２】
本発明にあっては、棚板の前側のダボ溝と後側のダボ溝とに、水平となっている前側のダボと後側のダボとを収容したり、前側のダボと該前側のダボと水平な後側のダボの上下のダボとを収容することができて、棚板の水平方向に対する角度を調節可能となると共に、前側のダボ溝に前側のダボが嵌入されるため、ダボがダボ溝から抜け難くて棚板が脱落し難く、更に、後側のダボ溝の溝幅を長くしたことで、棚板を装着し易く作業性が向上するものである。
【発明を実施するための最良の形態】
【００１３】
以下、本発明の一実施形態について添付図面に基づいて説明する。
【００１４】
まず、収納家具５の全体構成について説明する。収納家具５は、靴等の履物を収納する下足箱として利用される、前面が開口する収納部１を有するもので、本実施形態では図２に示すように、天板５１と、左右両側の側板５２と、地板５３と、背板５４とからなり前面に開口する箱状の収納本体５０で主体が構成される。そして、収納本体５０内の空間が収納部１となると共に、収納部１内が棚板３によって上下複数の収納空間に仕切られる。棚板３は、収納部１の左右両側の内側面、すなわち左右両側の側板５２の内面間に架設されるもので、本実施形態では図２に示すように上下に１３段の棚板３を設けて、上下に１４段の収納空間に仕切ってある。
【００１５】
また収納本体５０の前面に開閉自在な扉６が設けもよい。扉６は、本実施形態では左右に設けて観音開き状に開閉するもので、収納部１が上下に長いため上下に複数（本実施形態では二つ）に分割してある。
【００１６】
左右両側の側板５２の内面には、図１に示すように、前部に前側のダボ孔５２ａが設けてあると共に、後部に後側のダボ孔５２ｂが設けてあり、このダボ孔５２ａ、５２ｂにダボ２が嵌入してある。ダボ孔５２ａ、５２ｂは、棚板３を所望の高さで架設することができるように、上下方向に複数個設けられる。ダボ孔５２ａ、５２ｂは、円形状をしていて、水平となる前側のダボ孔５２ａと後側のダボ孔５２ｂとを対として、上下方向に多数設けられる。なお、図中においては、矢印Ｆの方向が前方、矢印Ｂの方向が後方である。
【００１７】
ダボ２は、一端側が、側板５２に形成したダボ孔に嵌入される被嵌入部となると共に、他端側が、棚板３の後述するダボ溝４（４ａ、４ｂ）に収容されて該ダボ溝４の上底面が載置される被載置部となるもので、本実施形態では円柱状に形成してある。
【００１８】
棚板３は、図３に示すように平面視矩形状をしたもので、本実施形態ではＡＢＳ（アクリロニトリルブタジエンスチレン共重合体）等の合成樹脂で形成してあるが、パーティクルボードのような木質材であってもよく、特に限定されない。棚板３には、下面の前部の左右両側の端縁よりそれぞれ、反対側の端縁に向けて、下方に開口する前側のダボ溝４ａが設けてあり、また、下面の後部の左右両側の端縁よりそれぞれ、反対側の端縁に向けて、下方に開口する後側のダボ溝４ｂが設けてある。図３に示す例にあっては、左右方向に長い空洞を前後方向に複数並設してあり、使用する材料の量を低減すると共に軽量化を図り、更に空洞間にリブが形成されて強度を確保することができる。また、棚板３の上面には凹凸（特に図示せず）が形成してあり、棚板３の上面に載置する履物が移動し難いようにしてある。
【００１９】
前側のダボ溝４ａは、ダボ２径と略同じ長さの溝幅Ｗ１を有しており、後側のダボ溝４ｂは、ダボ２径よりも長い溝幅Ｗ２を有するもので、本実施形態では後側のダボ溝４ｂは、ダボ２径の２〜３倍の溝幅Ｗ２を有している。
【００２０】
棚板３を左右両側の側板５２の内面間に架設するには、まず、側板５２の内面の前後に上下方向に複数個設けたダボ孔のうち、使用するダボ孔にダボ２を嵌入して設ける。そして棚板３を、収納部１の前面の開口から後方に挿入していき、棚板３の後端部を下ろして、上方から後側のダボ２ｂを後側のダボ溝４ｂに収容し、次に、棚板３の前端部を下ろして、上方から前側のダボ２ａを前側のダボ溝４ａに収容して、棚板３を前後のダボ２に架設する。この時、後側のダボ溝４ｂは溝幅Ｗ２が広く形成されているため、棚板３の後部が収納部１の奥方に挿入されて、棚板３の後側のダボ溝４ｂと後側のダボ２ｂとが見難くても、後側のダボ２ｂを後側のダボ溝４ｂに収容し易いものである。また、前側のダボ溝４ａは、溝幅Ｗ１がダボ２径と略同じで後側のダボ溝４ｂよりも狭いものであるが、棚板３の前部は収納部１の奥方深くには挿入されず、前側のダボ溝４ａと前側のダボ孔５２ａとを視認しながら、あるいは指で触って確認しながら前側のダボ２ａを前側のダボ溝４ａに収容することができるため、収容し易いものである。
【００２１】
棚板３を架設した状態では、前側のダボ溝４ａに前側のダボ２ａが丁度嵌入されるため、前側のダボ２ａが前側のダボ溝４ａ内で前後に動き得ず、棚板３の前後方向の動きが規制され、位置決めが行われる。また、棚板３の左右方向の動きは、棚板３の左右方向の長さを、両側の側板５２間の距離と略同じとすることで、両側の側板５２によって規制される。また、後側のダボ溝４ｂにおいては、溝幅Ｗ２をダボ２径よりも大きく形成してあって、後側のダボ溝４ｂに挿入されるダボ２が前後に動き得るスペースがある。
【００２２】
本発明では、水平となっている前側のダボ２ａと後側のダボ２ｂとをそれぞれ、前側のダボ溝４ａと後側のダボ溝４ｂとに収容可能とするのみならず、前側のダボ２ａと、該前側のダボ２ａと水平な後側のダボ２ｂの上側又は下側のダボ２とをそれぞれ、前側のダボ溝４ａと後側のダボ溝４ｂとに収容可能とするもので、本実施形態では、前側のダボ２ａと、該前側のダボ２ａと水平な後側のダボ２ｂの一個上側及び二個上側のダボ２とをそれぞれ、収容可能としてある。
【００２３】
更に説明をすると、本実施形態では、前側のダボ溝４ａの後側の内側面と、後側のダボ溝４ｂの前側の内側面との間の距離は、水平となっている前側のダボ２ａと後側のダボ２ｂとの間の距離と略同じに形成してあり、水平となっている前側のダボ２ａと後側のダボ２ｂとを前側のダボ溝４ａと後側のダボ溝４ｂとに収容して棚板３を水平に架設した際に、図１に示す上側の棚板３のように、後側のダボ２ｂが後側のダボ溝４ｂの前端に位置する。また、前側のダボ溝４ａの後側の内側面と、後側のダボ溝４ｂの後側の内側面との間の距離は、前側のダボ２ａと該前側のダボ２ａと水平な後側のダボ２ｂの二個上側のダボ２ｂとの間の距離にダボ２径を加えた距離と略同じに形成してあり、図４に示すように、前記前側のダボ２ａと後側のダボ２ｂとを前側のダボ溝４ａと後側のダボ溝４ｂとに収容して棚板３を後方へ行く程上方に位置するように傾斜させた際に、後側のダボ２ｂが後側のダボ溝４ｂの後端に位置する。また、図１に示す下側の棚板３のように、前側のダボ溝４ａと後側のダボ溝４ｂとに、前側のダボ２ａと該前側のダボ２ａと水平な後側のダボ２ｂの一個上側のダボ２ｂとをそれぞれ収容して、棚板３を後方へ行く程上方に位置するように傾斜させた場合、後側のダボ２ｂが後側のダボ溝４ｂの溝幅Ｗ２方向の中間に位置する。
【００２４】
上述したような収納家具５にあっては、棚板３の後側のダボ溝４ｂの溝幅Ｗ２をダボ２径よりも長くなるように形成し、棚板３の前側のダボ溝４ａと後側のダボ溝４ｂとに、水平となっている前側のダボ２ａと後側のダボ２ｂとを収容可能とするだけでなく、前側のダボ２ａと該前側のダボ２ａと水平な後側のダボ２ｂの一個又は二個上側のダボ２ｂとを収容可能としている。これにより、前側のダボ２ａに対して後側のダボ２ｂを上下複数の後側のダボ２ｂから選択して棚板３の水平方向に対する角度を調節可能としている。
【００２５】
そして、前側のダボ溝４ａの溝幅Ｗ１が前側のダボ２ａの径と略同じとなっているため、前側のダボ溝４ａに前側のダボ２ａが嵌入されて、棚板３の前後方向の動きが規制され、棚板３に手や履物が衝突しても棚板３が後方へ移動しないものである。また、前側のダボ溝４ａに前側のダボ２ａが嵌入されているため、ダボ２がダボ溝４から抜け難くて、棚板３の下面に手や履物が衝突しても、棚板３が浮き上がって脱落したりし難いものである。
【００２６】
また、前側のダボ溝４ａと後側のダボ溝４ｂのうち、溝幅Ｗ２を広くするのを後側のダボ溝４ｂとしたことで、視認し難い後側のダボ２ｂを後側のダボ溝４ｂに収容し易くなって、棚板３を装着し易く作業性が向上するものである。
【００２７】
また本実施形態では、棚板３の上面の前部に、履物の踵部が嵌入される凹部３２が棚板３の左右両側の端縁間に亘って形成してあり、棚板３の上面に載置した履物の踵部が凹部３２に収容されて動きが規制され、履物が棚板３の上面を移動して棚板３から落下するのが防止される。
【００２８】
また、後側のダボ溝４ｂの幅方向の両端縁には、棚板３の下方に突出する抜け止め凸部３１が突設してある。これにより、後側のダボ溝４ｂの深さが脱落防止凸部３３により実質的に深くなり、棚板３に力が掛かって若干上方に浮き上がっても、後側のダボ溝４ｂの上底面に当接しているダボ２が後側のダボ溝４ｂから抜け難くなり、棚板３が脱落し難くなるものである。
【００２９】
また、棚板３の上面の前端縁には、上方に突出する脱落防止凸部３３が突設してあり、棚板３の上面に載置した履物が棚板３の上面を前方に移動して、棚板３の前端縁から落下するのが防止される。また、前記脱落防止凸部３３を設けたことで、棚板３を前方へ行く程下方に傾斜するように設置した時、脱落防止凸部３３の上端が棚板３の前端に位置することとなって、この脱落防止凸部３３の前端を扉６の後面が当たる戸当たり３３ａとして兼用している。これにより、別に戸当たり３３ａを設ける必要がなく、部材を削減することができる。
【図面の簡単な説明】
【００３０】
【図１】本発明の一実施形態の収納家具の側断面図である。
【図２】同上の収納家具の側断面図である。
【図３】同上の棚板を示し、（ａ）は側断面図であり、（ｂ）は平面図である。
【図４】同上において棚板を更に傾斜させた例の上部の側断面図である。
【図５】棚板に形成した脱落防止凸部近傍の拡大断面図である。
【符号の説明】
【００３１】
１    収納部
２    ダボ
２ａ  前側のダボ
２ｂ  後側のダボ
３    棚板
３１  抜け止め凸部
４    ダボ溝
４ａ  前側のダボ溝
４ｂ  後側のダボ溝
５    収納家具
５０  収納本体
５１  天板
５２  側板
５２ａ  前側のダボ孔
５２ｂ  後側のダボ孔
５３  地板
５４  背板
【図１】
2009247623.tif 000003
【図２】
2009247623.tif 000004
【図３】
2009247623.tif 000005
【図４】
2009247623.tif 000006
【図５】
2009247623.tif 000007